(57)【要約】【課題】  本発明はノズルヘッド本体に簡単に装着でき、ノズル筒の先端部に内容液が固着した場合にも内容液の吐出方向を一定の範囲に抑制することができるノズルカバー体を創出することを課題とする。【解決手段】  容器本体の口筒部に組付き固定して使用する手動押下げ注出ポンプ用の合成樹脂製ノズルヘッドにおいて、頂壁を押下げ面とした有頂筒状のヘッド部の側周壁に前方に延出するノズル筒を設けたノズルヘッド本体に注出液の吐出方向を一定の方向に規制すノズルカバー体を装着した構成とし、前記ノズルカバー体は、ヘッド部に外嵌固定する嵌合部を有し、この嵌合部の前方端から、ノズル筒に沿って上方からこのノズル筒に外嵌する逆Ｕ字状の断面形状を有するチャネル状のカバー部を延設し、このカバー部の先端部がノズル筒の先端から突出する構成とする。【選択図】図１
2010052795.tif 000002
【特許請求の範囲】
【請求項１】
容器本体の口筒部に組付き固定して使用する手動押下げ注出ポンプ用の合成樹脂製ノズルヘッドであって、頂壁(4)を押下げ面とした有頂筒状のヘッド部(3)の側周壁(6)に前方に延出するノズル筒(5)を設けたノズルヘッド本体(2)に注出液の吐出方向を一定の方向に規制するノズルカバー体(11)を装着した構成とし、前記ノズルカバー体(11)は、前記ヘッド部(3)に外嵌する嵌合部(12)を有し、該嵌合部(12)の前方端から、前記ノズル筒(5)に沿って上方から該ノズル筒(5)に外嵌する逆Ｕ字状の断面形状を有するチャネル状のカバー部 (15)を延設し、該カバー部(15)の先端部が前記ノズル筒(5)の先端から突出する構成とした手動押下げ注出ポンプ用ノズルヘッド。
【請求項２】
嵌合部(12)を弾性的に拡径変形可能な筒状とし、ヘッド部(3)の頂壁(4) を、該頂壁(4)の周縁部が側周壁(6)の上側周端から外鍔状に延設する構成とし、前記嵌合部(12)が、拡径変形した状態で上方から前記頂壁(4)を越えてヘッド部(3)の側周壁(6)に外嵌する構成とした請求項１記載の押下げ注出ポンプ用ノズルヘッド。
【請求項３】
ノズルカバー体(11)の先端部のノズル筒(5)の先端からの突出量が調整可能に、ノズルカバー体(11)を前後方向にスライド変位可能にノズルヘッド本体(2)に装着する構成とした請求項１または２記載の手動押下げポンプ用ノズルヘッド。
【請求項４】
ノズルカバー体(11)の嵌合部(12)を、前後方向に長軸を向けた長円筒状片(12a)とし、該長円筒状片(12a)をヘッド部(3)の側周壁(6)に外嵌し、前記ノズルカバー体(11)を前後方向にスライド変位可能にノズルヘッド本体(2)に装着する構成とした請求項３記載の手動押下げポンプ用ノズルヘッド。
【請求項５】
ノズルカバー体(11)の嵌合部(12)を、前後方向に長軸を向けると共に、前後中央部に括れ部(13)を有する長円筒状片(12a)とし、前記括れ部(13)が弾性的に拡径変形可能な形状とし、前記長円筒状片(12a)をヘッド部(3)の側周壁(6)に外嵌した状態で、ノズルカバー体(11)を長円筒状片(12a)の括れ部(13)の前方部分と後方部分の２箇所間でスライド変位可能にノズルヘッド本体(2)に装着する構成とした請求項３記載の手動押下げポンプ用ノズルヘッド。
【請求項６】
ノズルカバー体(11)を軟質材料製とした請求項１、２、３、４または５記載の手動押下げポンプ用ノズルヘッド。
【発明の詳細な説明】
【技術分野】
【０００１】
本発明は、内容液を収納した容器本体の口筒部に組付けられ、押下げ操作により内容液を注出する手動押下げポンプ用の合成樹脂製ノズルヘッドに関する。
【背景技術】
【０００２】
シャンプー、リンス、ボディソープ、ハンドソープ、さらには化粧液等の内容液を収納した容器本体の口筒部に組付けられ、ノズルヘッドを押下げることにより内容液を注出する手動押下げ注出ポンプにおいては、そのノズルヘッドの構造を、ノズル筒を比較的大きく前方に延出させたものとし、これにより注出された内容液が、直接手のひらに注出されるようにしたものが従来から用いられている。
【特許文献１】特開平０９−０１２０５２号公報
【発明の開示】
【発明が解決しようとする課題】
【０００３】
ここで、上記説明したようなノズル筒を前方に延出させた構造を有するノズルヘッドでは、内容液の種類によっては、内容液を注出後に保管している間にノズル筒の先端部に付着残存した内容液が固化する場合があり、次に注出しようとすると、この残存した注出液の固着物により、注出液の吐出方向が定まらない、吐出方向が拡散してしまう等の不具合が発生し、注出液が意図しない方向に飛散し使用者に不快感を与えると共に、使い勝手の悪いものとなってしまう。
【０００４】
本発明は、上記した従来技術における問題点を解消すべく創案されたもので、ノズルヘッド本体に簡単に装着でき、ノズル筒の先端部に内容液が固着した場合にも、内容液の吐出方向を一定の範囲に抑制することができるノズルカバー体を創出することを課題とし、もって操作性に優れ、使い勝手が良く、安心して使用できる手動押下げポンプ用の合成樹脂製ノズルヘッドを提供することを目的とする。
【課題を解決するための手段】
【０００５】
上記技術的課題を解決する本発明の手段の内、主たる構成は、
容器本体の口筒部に組付き固定して使用する手動押下げ注出ポンプ用の合成樹脂製ノズルヘッドにおいて、
頂壁を押下げ面とした有頂筒状のヘッド部の側周壁に前方に延出するノズル筒を設けたノズルヘッド本体に注出液の吐出方向を一定の方向に規制するノズルカバー体を装着した構成とし、
前記ノズルカバー体は、
ヘッド部に外嵌する嵌合部を有し、
この嵌合部の前方端から、ノズル筒に沿って上方からこのノズル筒に外嵌する逆Ｕ字状の断面形状を有するチャネル状のカバー部を延設し、
このカバー部の先端部がノズル筒の先端から突出する構成とする、
と云うものである。
【０００６】
上記構成のノズルヘッドによれば、嵌合部をヘッド部に外嵌すると共に、Ｕ字状の断面形状を有するチャネル状のカバー部をノズル筒に沿って上方からこのノズル筒に外嵌することにより、ノズルカバー体をノズルヘッド本体に確実に装着することができる。
【０００７】
そして、カバー部の先端部がノズル筒の先端から突出する構成とすることにより、このカバー部の先端部により、注出液の吐出方向を一定の方向に規制することができ、ノズル筒の先端部に付着残存した内容液の固着物があったとしても、注出液の吐出方向が拡散してしまう、あるいは注出液が意図しない方向に飛散しまう等の不具合を抑制することが可能となる。
【０００８】
ここで、カバー部による注出液の吐出方向の規制の程度は、ノズル筒の先端からの突出量、あるいはカバー部の側壁の高さ等の設定により調整可能であり、カバー部の装着による操作性等も考慮して、適宜決めることができる。
【０００９】
本発明の他の構成は上記主たる構成において、嵌合部を弾性的に拡径変形可能な筒状とし、ヘッド部の頂壁を、その周縁部が側周壁の上側周端から外鍔状に延設する構成とし、嵌合部が、拡径変形した状態で上方から頂壁を越えてヘッド部の側周壁に外嵌する、と云うものである。
【００１０】
上記構成は、嵌合部をヘッド部に外嵌するための構成に係るものであり、嵌合部を弾性的に拡径変形可能な筒状とすることにより、この弾性的な拡径変形性を利用して、外鍔状に延周設される頂壁を越えてヘッド部の側周壁に外嵌することができる。
そして、嵌合部を側周壁に外嵌させた状態では、この嵌合部の弾性的な復元性を利用して側周壁に弾接させることができ、外鍔状に延周設される頂壁の上方からの係止効果が相俟って、嵌合部のヘッド部への嵌合状態を抜け外れやガタツキのないしっかりしたものとすることができる。
【００１１】
本発明のさらに他の構成は、ノズルカバー体の先端部のノズル筒の先端からの突出量が調整可能に、ノズルカバー体を前後方向にスライド変位可能にノズルヘッド本体に装着する構成とする、と云うものである。
【００１２】
上記構成によれば、ノズルカバー体の前後方向へのスライド変位によりノズルカバー体の先端部の突出量を調整し、注出液の吐出方向の規制の程度を適宜調整することができる。
【００１３】
本発明のさらに他の構成は、上記構成においてノズルカバー体の嵌合部を、前後方向に長軸を向けた長円筒状片とし、この長円筒状片をヘッド部の側周壁に外嵌し、ノズルカバー体を前後方向にスライド変位可能にノズルヘッド本体に装着する構成とする、と云うものである。
【００１４】
上記構成は、ノズルカバー体を前後方向にスライド変位可能にノズルヘッド本体に装着するための構成に係るものであり、長円筒状片の短軸方向でヘッド部の側周壁に弾接するようにしておけば、長軸方向に沿って前後方向に無段階にスライド変位量を調整することも可能である。
【００１５】
また、長円筒状片は円筒状に弾性変形させた状態で、頂壁を越えてヘッド部の側周壁に容易に外嵌させることが可能である。
【００１６】
本発明のさらに他の構成は、ノズルカバー体の嵌合部を、前後方向に長軸を向けると共に、前後中央部に括れ部を有する長円筒状片とし、括れ部が弾性的に拡径変形可能な形状とし、
長円筒状片をヘッド部の側周壁に外嵌した状態で、ノズルカバー体を長円筒状片の括れ部の前方部分と後方部分の２箇所間でスライド変位可能にノズルヘッド本体に装着する構成する、と云うものである。
【００１７】
上記構成も、ノズルカバー体を前後方向にスライド変位可能にノズルヘッド本体に装着するための構成に係るものであり、嵌合部となる長円筒状片を括れ部により前方部分と後方部分に分けて、この２箇所間で安定したスライド変位状態を実現することができる。
ここで、括れ部が弾性的に拡径変形可能であり、前方部分と後方部分間のスライド変位はこの括れ部を弾性的に拡径変形しながら容易に、スムーズに達成することができる。
【００１８】
また、括れ部の弾性的な拡径変形性を利用してこの長円筒状片を頂壁を越えてヘッド部の側周壁に容易に外嵌させることができる。
【００１９】
本発明のさらに他の構成は、ノズルカバー体を軟質材料製とする、と云うものである。
【００２０】
上記構成により、ノズルカバー体を合成樹脂製エラストマー等の軟質材料製とすることにより、ノズルカバー体の先端部、あるいは各角部による指先等における擦り傷の発生を防ぐことができる。また、嵌合部のヘッド部への外嵌工程をより容易に達成することができる。
【発明の効果】
【００２１】
本発明は、上記した構成となっているので、以下に示す効果を奏する。
すなわち主たる構成を有するものにあっては、カバー部の先端部がノズル筒の先端から突出する構成とすることにより、このカバー部の先端部により、注出液の吐出方向を一定の方向に規制することができ、ノズル筒の先端部に付着残存した内容液の固着物があったとしても、注出液の吐出方向が拡散してしまう、あるいは注出液が意図しない方向に飛散しまう等の不具合を効果的に抑制することができる。
【発明を実施するための最良の形態】
【００２２】
以下、本発明の実施形態を実施例に沿って図面を参照しながら説明する。
図１〜図３は本発明ノズルヘッドの一実施例を示すものであり、この中、図１（ａ）は本発明のノズルヘッドの一実施例の平面図、図１（ｂ）は一部を縦断して示す側面図である。また図２は図１の状態からノズルカバー体１１を前方にスライド変位させた状態を示すものである。
また、図３は図１中のノズルカバー体１１の斜視図であり（ａ）は標準状態、（ｂ）は嵌合部１２を拡径変形させた状態を示す。
なお、図１と図２ではポンプＰや容器本体２１を二点鎖線で描いて、ノズルヘッド１を、ポンプＰを介して容器本体２１に装着した状態を表すようにしている。
【００２３】
本実施例のノズルヘッド１は、合成樹脂製の射出成形品であるノズルヘッド本体２とノズルカバー体１１の２ケの部材から成り、ノズルヘッド本体２に上方からノズルカバー体１１を装着した構成である。
【００２４】
ノズルヘッド本体２は、有頂円筒状のヘッド部３を有し、またこのヘッド部３の側周壁６から前方に延出するノズル筒５を設け、前方への内容液の注出流路を形成するようにしている。また頂壁４を、その周縁部が側周壁の上側周端で外鍔状に延周設した形状としている。
【００２５】
ノズルカバー体１１は図３（ａ）に示すような形状の部材であり、ヘッド部３の側周壁６に外嵌する嵌合部１２である、長円筒状片１２ａを有し、この長円筒状片１２ａ前端からノズル筒５に沿うように、このノズル筒５に上方から外嵌する逆Ｕ字状（若しくは「コの字」状）の断面形状を有するチャネル状のカバー部１５を延設している。（図３（ａ）中では、ハッチングによりカバー部１５の断面形状を表している。）
【００２６】
ノズルカバー体１１についてさらに詳述すると、長円筒状片１２ａは前後中央部に、弾性的に拡径変形可能な括れ部１３を有するものである。
またこの長円筒状片１２ａの前方周壁にはノズル筒５が前後方向に挿通できるように欠部１２ａｃを形成している。
【００２７】
一方、カバー部１５は全体としては前述したように逆Ｕ字状の断面形状を有するチャネル状であるが、ノズル筒５の上面に沿って前方斜め下方に緩やかに湾曲する板状の頂部１５ｔと平板状の一対の側壁１５ｓから形成されている。
そして、本実施例では側壁１５ｓの高さをかなり大きくして、ノズル筒５全体を外装するようにしている。（図１（ｂ）参照）
【００２８】
次に、ノズルヘッド本体２にノズルカバー体１１を装着する際には、長円筒状片１２ａを、括れ部１３の弾性的な拡径変形性を利用し、図３（ｂ）に示すような拡径状態とし、外鍔状に延設された頂壁４を越えてヘッド部３の側周壁６まで下降させた状態で、３（ａ）に示される標準状態に復元することにより、図１（ａ）に示されるように、長円筒状片１２ａの括れ部１３の前方部分が、側周壁６に弾接状に外嵌した状態とすることができる。
【００２９】
また、同時に上方からカバー部１５をノズル筒５に外嵌し、外鍔状に延設された頂壁４の周縁部で長円筒状片１２ａの上端面を上方から係止することにより、上記のように長円筒状片１２ａが側周壁６へ弾接状に外嵌することと相俟って、ノズルカバー体１１をノズルヘッド本体２にガタツキなくしっかりと装着することができる。
そして、この装着状態ではカバー部１５の先端部がノズル筒５の少し前方に突出した状態となる。
【００３０】
次に、上記したノズルヘッド１は、図１（ｂ）に示されるように、ヘッド部３の下端部を、キャップ体２２により容器本体２１の口筒部に組付き固定されるポンプＰの主体部分の一部であるステム２３の上端部に、密にかつ不動に外嵌組付きし、注出容器の部材として使用される。
【００３１】
図２は、図１の装着状態から、図２（ｂ）中の白抜き矢印で示されるように、ノズルカバー体１１を前方にスライド変位して、長円筒状片１２ａの括れ部１３の後方部分が、側周壁６に弾接状に外嵌するような状態としたもので、この状態では、カバー部１５の先端部がノズル筒５よりかなり前方に突出した状態となる。
【００３２】
このように、図１と図２に示される２箇所での安定したスライド変位状態を利用することにより、ノズルヘッド１を組込んだ注出容器製品の流通、保管、販売の段階では、図１に示される変位状態として、カバー部１５の先端が容器本体２１の前端面から突出しない位置として（図１（ａ）参照）、カバー部１５が邪魔にならないようにすることができると共に、一方で、製品の使用に際しては図２に示される変位状態として、カバー部１５の先端部を十分突出させた状態とすることができる。
【００３３】
そして、ノズルヘッド１を押下さげて、図２（ｂ）に示す状態からのステム２３を下降変位することにより、ポンプＰ内を上昇した内容液が、ヘッド部３、ノズル筒５を経て外部に注出するが、カバー部１５の先端部がノズル筒５の先端より十分突出しているので、この突出により注出液の吐出方向を一定の方向に十分規制することができ、ノズル筒５の先端部に付着残存した内容液の固着物があったとしても、注出液の吐出方向が拡散してしまう、あるいは注出液が意図しない方向に飛散しまう等の不具合を効果的に抑制することができる。
【００３４】
また、上記と同様に２箇所での安定したスライド変位状態を利用することにより、使用状況に応じてカバー部１５の先端部の突出量を変えて注出液の吐出方向に係る規制の程度を調整することもできる。
【００３５】
ここで、ノズルカバー体１１のスライド変位はこの括れ部１３を弾性的に拡径変形しながら容易に、スムーズに達成することができる。
【００３６】
以上、実施例に沿って本発明の実施の形態を説明したが、本発明の作用効果はこれら実施例に限定されものではない。
たとえば、上記実施例では嵌合部１２が括れ部１３を有する長円筒状片１２ａとしてノズルカバー体１１をスライド変位可能としたが、使用目的によってはスライド変位する構成は必須ではないし、さらに嵌合部を有頂短円筒状としてヘッド部の頂壁に外嵌するような構成とすることもできる。
また、チャネル状のカバー部の形状も使用目的に応じて、たとえば一対の側壁１５ｓの開き角度を下方に向けて開くようにする等、さまざまな態様のものを採用することができる。
【産業上の利用可能性】
【００３７】
本発明のノズルヘッドはノズルヘッド本体にノズルカバー体を簡単に装着したもので、このノズルカバー体によりノズル筒の先端部に内容液が固着した場合にも内容液の吐出方向を一定の範囲に抑制することができるものであり、ポンプと組み合わせて幅広い用途展開が期待できる。
【図面の簡単な説明】
【００３８】
【図１】本発明のノズルヘッドの一実施例の（ａ）は平面図、（ｂ）は一部縦断して示す側面図である。
【図２】図１のノズルヘッドにおいてノズルカバー体を前方にスライドした状態を示す（ａ）は平面図、（ｂ）は一部縦断して示す側面図である。
【図３】図１中のノズルカバー体の斜視図であり（ａ）は標準状態、（ｂ）は嵌合部を拡径変形させた状態を示す。
【符号の説明】
【００３９】
１  ；ノズルヘッド
２  ；ノズルヘッド本体
３  ；ヘッド部
４  ；頂壁
５  ；ノズル筒
６  ；側周壁
１１；ノズルカバー体
１２；嵌合部
１２ａ；長円筒状片
１２ａｃ；欠部
１３；括れ部
１５；カバー部
１５ｔ；（カバー部の）頂部
１５ｓ；（カバー部の）側壁
２１；容器本体
２２；キャップ体
２３；ステム
Ｐ  ；ポンプ
【図１】
2010052795.tif 000003
【図２】
2010052795.tif 000004
【図３】
2010052795.tif 000005